(57)【要約】  本発明は、シリコーンゴム製品を製造する方法に関する。同方法は、ｉ）射出成形を用いたシリコーンゴム製品の成形、及びｉｉ）射出成形品の冷却、の段階を含み、ここで冷却は、射出成形品を反応装置中に挿入すること、及び１０バール（１０×１０５Ｐａ）と５０バール（５０×１０５Ｐａ）との間の圧力で二酸化炭素含有溶媒を用いて、射出成形品に抽出処理を施すことを含み、ここで、その製品は抽出段階において６０℃より低い初期温度を有し、抽出時間の少なくとも一部分において、その製品は二酸化炭素が液状であるように２５℃より低い温度及び圧力を有する。反応装置は、冷却の間、回転させることが好ましい。同方法は、低温及び低圧条件下においてシリコーン製品の高効率的かつ迅速な冷却方法を提供する。【特許請求の範囲】
【請求項１】
シリコーンゴム製品を製造する方法であって、前記方法は、
ｉ）射出成形によるシリコーンゴム製品の成形、及び
ｉｉ）射出成形品の冷却
の段階を含み、
前記冷却は、射出成形品を反応装置中へ挿入すること、及び１０バール（１０×１０５Ｐａ）と５０バール（５０×１０５Ｐａ）との間の圧力下で二酸化炭素含有溶媒を用いた抽出処理を前記射出成形品に施すことを含み、前記製品は抽出段階において６０℃より低い初期温度を有し、抽出時間の少なくとも一部分において、二酸化炭素が液状であるように前記製品は２５℃より低い温度を有する方法。
【請求項２】
前記シリコーンゴム製品は、少なくとも前記冷却の間少なくとも一つの非塗装表面を有する、請求項１に記載の方法。
【請求項３】
前記成形段階は、前記製品に前記製品の材料を少なくとも部分的に貫通して延出するスリットまたは孔を提供することを含み、好ましくは、前記スリットまたは孔は、射出成形段階において、あるいは例えば切削工具等を用いて射出成形段階後に提供される、請求項１及び請求項２のいずれか１項に記載の方法。
【請求項４】
前記抽出処理は、少なくとも０．５分間、例えば少なくとも２分間、例えば少なくとも４分間、例えば少なくとも１０分間、前記製品に液状の二酸化炭素含有溶媒を用いた処理を施すことを含む、請求項１乃至請求項３のいずれか１項に記載の方法。
【請求項５】
前記抽出処理は、ミリメータで表した表面への最大最短距離（ＭＳＤＳ）当たり少なくとも０．１分間にわたって液状の二酸化炭素含有溶媒を用いた処理を前記製品に施すことを含み、前記ＭＳＤＳは、前記製品の前記材料の任意の点に対する表面点までの最短距離を意味し、好ましくは、前記抽出処理は、ＭＳＤＳ当たり少なくとも０．３分間、例えば少なくとも１．０分間、例えば少なくとも１．５分間、例えば少なくとも２分間にわたって液状の二酸化炭素含有溶媒を用いた処理を、前記製品に施すことを含む、請求項１乃至請求項４のいずれか１項に記載の方法。
【請求項６】
前記方法は、
ｉ）前記シリコーンゴム製品の成形
ｉｉ）前記射出成形品の冷却、及び
ｉｉｉ）シリコーンオイル残渣に対するバリアを提供する梱包材料への前記製品の梱包
の段階を含む、請求項１乃至請求項５のいずれか１項に記載の方法。
【請求項７】
前記梱包材料は、２４時間当たり１００ｇ／ｍ２、例えば２４時間当たり５０ｇ／ｍ２、例えば２４時間当たり２５ｇ／ｍ２、例えば２４時間当たり１０ｇ／ｍ２の水蒸気浸透率（ＤＩＮ５３１２２）を有する、請求項６に記載の方法。
【請求項８】
前記梱包材料は、２４時間当たり１０ｇ／ｍ２、例えば２４時間当たり５ｇ／ｍ２、例えば２４時間当たり１ｇ／ｍ２、例えば２４時間当たり０．１ｇ／ｍ２のシリコーンオイルヘキサメチルシクロトリシロキサン（Ｄ３）の浸透性を有する、請求項６及び請求項７のいずれか１項に記載の方法。
【請求項９】
前記梱包材料は、細菌やウイルスに対してできる実質的に限り不浸透性である、請求項６乃至請求項８のいずれか１項に記載の方法。
【請求項１０】
前記梱包段階は、前記封印梱包材料中への前記製品の梱包を含み、それにより前記梱包材料は、空気のフリーフローに対してバリアを提供し、好ましくは、前記封入梱包材料は、気密性の梱包を提供する、請求項６乃至請求項９のいずれか１項に記載の方法。
【請求項１１】
前記梱包段階は、冷却段階の終了から６０分以内、好ましくは４０分以内、例えば２０分以内、例えば１０分以内、より好ましくは５分以内に行われ、最も好ましくは、前記梱包段階は、冷却段階の終了後直ちに行われる、請求項６乃至請求項１０のいずれか１項に記載の方法。
【請求項１２】
前記梱包段階は、前記製品が前記梱包材料内部に放出される放出可能な前記二酸化炭素をまだ含むように、前記冷却段階の直後に十分に行われ、好ましくは、前記製品は、前記梱包材料が封入された後初めの１時間以内の前記製品の重量に対する前記二酸化炭素の重量の少なくとも０．０１重量％、例えば少なくとも０．１重量％、あるいは少なくとも０．５重量％を放出する、請求項６乃至請求項１１のいずれか１項に記載の方法。
【請求項１３】
前記シリコーンゴム製品は、１つまたはそれ以上のシリコーン組成物を含む前駆体シリコーン混合物から製造されており、好ましくは、前記前駆体シリコーン混合物は、ジアルキルシリコーン弾性体、ここでアルキルとは、メチル基、エチル基、ヘキシル基、及びオオクチル基等の１〜１２の炭素原子からなる炭化水素側基を意味し、ビニルシリコーン弾性体、フェニルシリコーン弾性体、ニトリルシリコーン弾性体、フルオロシリコーン弾性体、室温加硫（ＲＴＶ）シリコーン弾性体、液状シリコーン弾性体（ＬＳＲ）、ホウ化シリコーン弾性体からなる群より選択された１つまたはそれ以上のシリコーン組成物を含み、好ましくは、前記前駆体シリコーン混合物は、ジメチルシリコーン弾性体を含む、請求項１乃至請求項１２のいずれか１項に記載の方法。
【請求項１４】
前記前駆体シリコーン混合物は、１つまたはそれ以上の熱可塑性物質、好ましくは、ポリウレタン、ポリアミド及びポリオレフィンからなる群より選択された１つまたはそれ以上の熱可塑性物質である、請求項１１に記載の方法。
【請求項１５】
前記前駆体シリコーン混合物は、１つまたはそれ以上の触媒、例えば金属触媒（白金触媒等）、及び／またはジベンゾイル、ジクミル及び２，３−過酸化ブチル過酸化物等の有機過酸化物を含む、請求項１１及び請求項１２のいずれか１項に記載の方法。
【請求項１６】
前記射出成形は、１５０℃〜２００℃で１０秒〜５０秒、あるいは８０℃と１５０℃との間の温度で３０秒〜９０秒、あるいは８０℃より低い温度で６０秒以上の射出成形機内の滞留時間とともに行われる、請求項１乃至請求項１５のいずれか１項に記載の方法。
【請求項１７】
前記冷却段階は回分式で行われ、好ましくは、前記冷却段階は成形機から物理的に独立して行われる、請求項１乃至請求項１６のいずれか１項に記載の方法。
【請求項１８】
前記二酸化炭素含有溶媒は、少なくとも８０重量％、例えば少なくとも８５重量％、例えば少なくとも９０重量％、例えば少なくとも９５重量％、例えば少なくとも９９重量％の二酸化炭素を含む、請求項１乃至請求項１７のいずれか１項に記載の方法。
【請求項１９】
前記二酸化炭素含有溶媒は、過ハロゲン化された界面活性剤及び完全にまたは部分的にフッ素化された界面活性剤、例えばＣＦ３（ＣＦ２）ａＣＨ２ＣＨ２Ｃ（Ｏ）ＯＸ，ａ＝１〜３０、ポリプロピレングリコール界面活性剤、必要に応じて７５重量％のポリエチレングリコール群、例えばＨＯ（ＣＨ２ＣＨ（ＣＨ３）Ｏ）ｉ（ＣＨ２ＣＨ２Ｏ）ｉＲ，ｉ＝１〜２０ここでＲはメチル基、エチル基、プロピ基ル、ブチル基等のアルキル、あるいはテトラデシルまたはヘキサデシル等の６〜２０の炭素原子を含むアルキル、ＣＦ３（ＣＦ２ＣＦ２Ｏ）ｒ（ＣＨ２ＣＨ２Ｏ）ｔＨ，ｒ＝１〜３０及びｔ＝１〜４０等のペルハロエーテル界面活性剤、ソルビタンエステル、炭酸モノエステル及び炭酸ポリエステル、並びにポリジメチルシロキサン界面活性剤からなる群より選択された少なくとも一つの界面活性剤を含む、請求項１乃至請求項１８のいずれか１項に記載の方法。
【請求項２０】
前記二酸化炭素含有溶媒は、好ましくは、ポリ（１，１’−ジハイドロペルフルオロオクチル  アクリレート）−ｂ−（ポリ）スチレン、ポリ（１，１’−ジハイドロペルフルオロオクチル  アクリレート−ｂ−スチレン）、ポリ（１，１’−ジハイドロペルフルオロオクチル  アクリレート−ｂ−メチルメタクリル酸塩）、ポリ（１，１’−ジハイドロペルフルオロオクチル  アクリレート−ｂ−酢酸ビニル）、ポリ（１，１’−ジハイドロペルフルオロオクチル  アクリレート−ｂ−ビニルアルコール）、ポリ（１，１’−ジハイドロペルフルオロオクチル  メタクリル酸塩−ｂ−スチレン）、ポリ（１，１’−ジハイドロペルフルオロオクチル  アクリレート−コ−スチレン）、ポリ（１，１’−ジハイドロペルフルオロオクチル  アクリレート−コ−ビニルピロリドン）、ポリ（１，１’−ジハイドロペルフルオロオクチル  アクリレート−コ−２−エチルヘキシルアクリレート）、ポリ（１，１’−ジハイドロペルフルオロオクチル  アクリレート−コ−２−ヒドロキシエチルアクリレート）、ポリ（１，１’−ジハイドロペルフルオロオクチル  アクリレート−コ−ジメチルアミノエチルアクリレート）、ポリ（スチレン−ｇ−ジメチルシロキサン）、ポリ（メチル  アクリレート−ｇ−１，１‘−ジハイドロペルフルオロオクチル  メタクリル酸塩）、ポリ（１，１’−ジハイドロペルフルオロオクチル  アクリレート−ｇ−スチレン）、ペルフルオロオクタン酸、及びペルフルオロ（２−プロポキシプロパン）酸からなる群より選択された界面活性剤を含む、請求項６乃至請求項１９のいずれか１項に記載の方法。
【請求項２１】
前記二酸化炭素含有溶媒は、０．００１重量％から３０重量％まで、例えば０．０１重量％と２０重量％との間、例えば０．１重量％と５重量％との間の１つまたはそれ以上の界面活性剤を含む、請求項１乃至請求項２０のいずれか１項に記載の方法。
【請求項２２】
前記二酸化炭素含有溶媒は、好ましくは、例えばメタン、エタン、プロパン、アンモニアブタン、ｎ−ペンタン、ヘキサン、シクロヘキサン、ｎ−ヘプタン、エチレン、プロピレン、メタノール、エタノール、イソプロパノール、キシレン、塩化フッ化メタン、トリクロロフルオロメタン、ペルフルオロプロパン、クロロジフルオロメタン、六フッ化硫黄、ヘキサフルオライド、亜酸化窒素、Ｎ−メチルピロリドン、アセトン、炭酸エステル、有機シリコーン、テルペン、パラフィン、及びそれらの混合物からなる群より選択された共溶媒を含む、請求項１乃至請求項２１のいずれか１項に記載の方法。
【請求項２３】
前記冷却段階は、１０バール（１０×１０５Ｐａ）と５０バール（５０×１０５Ｐａ）との間の圧力下、及び０℃と６０℃との間の温度下で、圧力反応装置内の前記二酸化炭素含有溶媒を用いて、前記製品に前記抽出処理を施すことを含み、好ましくは、前記冷却段階は、前記抽出時間の大部分の間、８℃〜１５℃及び４２バール〜５０バール（４２〜５０×１０５Ｐａ）で、前記二酸化炭素含有溶媒を用いた抽出を含む、請求項１乃至請求項２２のいずれか１項に記載の方法。
【請求項２４】
前記冷却段階は、１０バール（１０×１０５Ｐａ）と５０バール（５０×１０５Ｐａ）との間の圧力下、及び０℃と２５℃との間の温度下で、前記圧力反応装置内の前記二酸化炭素含有溶媒を用いて、前記製品に前記抽出処理を施すことを含む、請求項１乃至請求項２３のいずれか１項に記載の方法。
【請求項２５】
前記冷却段階は、１０バール（１０×１０５Ｐａ）と５０バール（５０×１０５Ｐａ）との間の圧力下、例えば２０バール（２０×１０５Ｐａ）と５０バール（５０×１０５Ｐａ）との間、好ましくは２５バール（２５×１０５Ｐａ）と５０バール（５０×１０５Ｐａ）との間、例えば３０バール（３０×１０５Ｐａ）と５０バール（５０×１０５Ｐａ）との間、及び４０バール（４０×１０５Ｐａ）と５０バール（５０×１０５Ｐａ）との間の圧力下で、前記圧力反応装置内の前記二酸化炭素含有溶媒を用いて、前記製品に前記抽出処理を施すことを含む、請求項１乃至請求項２４のいずれか１項に記載の方法。
【請求項２６】
前記冷却段階は、圧力が印加される前記圧力反応装置内の前記二酸化炭素含有溶媒を用いて、前記製品に前記抽出処理を施すことを含み、好ましくは、印加された前記圧力が、１０バール（１０×１０５Ｐａ）、例えば５バール（５×１０５Ｐａ）、例えば２バール（２×１０５Ｐａ）の印加の変化を有することを含む、請求項６乃至請求項２５のいずれか１項に記載の方法。
【請求項２７】
前記冷却段階は、前記圧力が変化させられるかまたは印加される前記圧力反応装置内の前記二酸化炭素含有溶媒を用いて、前記製品に前記抽出処理を施すことを含み、好ましくは、前記印加された圧力が、１分当たり１０パルス、例えば１分当たり２パルスの周波数を有することを含む、請求項１乃至請求項２６のいずれか１項に記載の方法。
【請求項２８】
前記冷却段階は、２５℃より低い温度、好ましくは２２℃より低い温度、より好ましくは５℃と２０℃との間の温度、好ましくは８℃と１５℃との間の温度で、前記圧力反応装置内の前記二酸化炭素含有溶媒を用いて、前記製品に前記抽出処理を施すことを含む、請求項１乃至請求項２７のいずれか１項に記載の方法。
【請求項２９】
前記冷却段階は、前記製品に前記抽出処理を施し、それによって３０００より小さい分子量を有する抽出可能な残渣シリコーンオイルの少なくとも５０重量％、例えば少なくとも６０重量％、例えば少なくとも７０重量％、例えば少なくとも８０重量％、例えば少なくとも９０重量％、例えば少なくとも９５重量％、例えば少なくとも９９重量％を除去することを含み、ここで３０００より小さい分子量を有する抽出可能な前記残渣シリコーンオイルは、抽出可能な３０００より小さい分子量を有する残渣シリコーンオイルとして定義されている、請求項１乃至請求項２８のいずれか１項に記載の方法。
【請求項３０】
前記冷却段階は、前記製品に前記抽出処理を施し、それによって１０００より小さい分子量を有する抽出可能な残渣シリコーンオイルの少なくとも５０重量％、例えば少なくとも６０重量％、例えば少なくとも７０重量％、例えば少なくとも８０重量％、例えば少なくとも９０重量％、例えば少なくとも９５重量％、例えば少なくとも９９重量％を除去することを含み、ここで１０００より小さい分子量を有する抽出可能な前記残渣シリコーンオイルは、抽出可能な１０００より小さい分子量を有する残渣シリコーンオイルとして定義されている、請求項１乃至請求項２９のいずれか１項に記載の方法。
【請求項３１】
前記冷却段階は、前記製品に前記抽出処理を施し、それによって５００より小さい分子量を有する抽出可能な残渣シリコーンオイルの少なくとも５０重量％、例えば少なくとも６０重量％、例えば少なくとも７０重量％、例えば少なくとも８０重量％、例えば少なくとも９０重量％、例えば少なくとも９５重量％、例えば少なくとも９９重量％を除去することを含み、ここで５００より小さい分子量を有する抽出可能な前記残渣シリコーンオイルは、抽出可能な５００より小さい分子量を有する残渣シリコーンオイルとして定義されている、請求項１乃至請求項３０のいずれか１項に記載の方法。
【請求項３２】
前記冷却段階は、前記製品に前記抽出処理を施し、それによって２００より小さい分子量を有する抽出可能な残渣シリコーンオイルの少なくとも５０重量％、例えば少なくとも６０重量％、例えば少なくとも７０重量％、例えば少なくとも８０重量％、例えば少なくとも９０重量％、例えば少なくとも９５重量％、例えば少なくとも９９重量％を除去することを含み、ここで２００より小さい分子量を有する抽出可能な前記残渣シリコーンオイルは、抽出可能な２００より小さい分子量を有する残渣シリコーンオイルとして定義されている、請求項１乃至請求項３１のいずれか１項に記載の方法。
【請求項３３】
前記冷却段階は、前記製品に前記抽出処理を施し、それによって分子量に関係なく、それらの前記残渣シリコーンオイルの重量の少なくとも１０重量％、例えば少なくとも２５重量％、例えば少なくとも４０重量％、例えば少なくとも６０重量％を除去することを含み、前記残渣シリコーンオイルは、アセトンを用いた非抽出のシリコーン製品のＳｏｘｌｅｔｈ抽出を用いて抽出され得る、請求項１乃至請求項３２のいずれか１項に記載の方法。
【請求項３４】
前記冷却段階は、前記製品に前記抽出処理を施し、それによって製品全体の少なくとも０．０５重量％の前記残渣シリコーンオイル、例えば０．１重量％の前記残渣シリコーンオイル、例えば少なくとも０．２重量％、例えば少なくとも０．５重量％の前記残渣シリコーンオイルを除去することを含む、請求項１乃至請求項３３のいずれか１項に記載の方法。
【請求項３５】
前記冷却段階は、前記製品に前記抽出処理を施し、それによって製品全体の重量に対して３０００より小さい分子量を有する前記残渣シリコーンオイルの少なくとも０．００５重量％、例えば０．０１重量％の前記残渣シリコーンオイル、例えば３０００より小さい分子量を有する前記残渣シリコーンオイルの少なくとも０．０２重量％を除去することを含む、請求項１乃至請求項３４のいずれか１項に記載の方法。
【請求項３６】
前記冷却段階は、前記製品に前記抽出処理を施し、それによって製品全体の重量に対して１０００より小さい分子量を有する前記残渣シリコーンオイルの少なくとも０．００１重量％、例えば０．００５重量％の前記残渣シリコーンオイル、例えば１０００より小さい分子量を有する前記残渣シリコーンオイルの少なくとも０．０１重量％を除去することを含む、請求項１乃至請求項３５のいずれか１項に記載の方法。
【請求項３７】
前記冷却段階は、前記製品に前記抽出処理を施し、それによって製品全体の重量に対して５００より小さい分子量を有する前記残渣シリコーンオイルの少なくとも０．０００５重量％、例えば０．００１重量％の前記残渣シリコーンオイル、例えば５００より小さい分子量を有する前記残渣シリコーンオイルの少なくとも０．００２重量％を除去することを含む、請求項１乃至請求項３６のいずれか１項に記載の方法。
【請求項３８】
前記冷却段階は、前記製品に前記抽出処理を施し、それによって製品全体の重量に対して２００より小さい分子量を有する前記残渣シリコーンオイルの少なくとも０．０００１重量％、例えば０．０００５重量％の前記残渣シリコーンオイル、例えば２００より小さい分子量を有する前記残渣シリコーンオイルの少なくとも０．００１重量％を除去することを含む、請求項１乃至請求項３７のいずれか１項に記載の方法。
【請求項３９】
前記冷却段階は、前記製品に前記抽出処理を施し、それによって２００４年４月１日付けのＦＤＡ規制２１  ＣＦＲ  １７７．２６００、２００４年８月の現在欧州規格ＥＮ１４３５０／２、及び２００２年９月の欧州規格ＥＮ１４００−１を満たすように、十分な量の低分子量残渣を除去することを含む、請求項１乃至請求項３８のいずれか１項に記載の方法。
【請求項４０】
前記冷却段階は、前記製品に前記抽出処理を施すことを含み、前記抽出処理は、少なくとも１分間、例えば少なくとも２分間、例えば少なくとも５分間、例えば少なくとも１０分間行われる、請求項６乃至請求項３９のいずれか１項に記載の方法。
【請求項４１】
前記冷却段階は、前記製品に前記抽出処理を施すことを含み、前記抽出処理は、ミリメータで表わした表面への最大最短距離（ＭＳＤＳ）当たり少なくとも０．１分間行われ、ここで前記ＭＳＤＳは、前記製品の前記材料の任意の点に対する表面点までの最短距離であり、好ましくは、前記抽出処理は、前記ＭＳＤＳ当たり少なくとも０．３分間、例えば少なくとも１．０分間、例えば少なくとも１．５分間、例えば少なくとも２分間、前記液状の二酸化炭素含有溶媒を用いた処理を、前記製品に施すことを含む、請求項１乃至請求項４０のいずれか１項に記載の方法。
【請求項４２】
前記冷却段階は、気体が前記抽出処理の間、前記反応装置中に導入される前記抽出処理を前記製品に施すことを含み、前記気体が前記製品のバルクから周りの溶媒への圧力勾配を生成し、それによって前記製品から前記溶媒への溶質の流れを生成するために放出され、好ましくは、前記気体は、窒素、酸素またはヘリウムである、請求項６乃至請求項４１のいずれか１項に記載の方法。
【請求項４３】
前記冷却段階は、粉塵及び二酸化シリコーン等の粒子の除去、及び押出しまたは成形または整形の間に使用される少なくとも幾つかの成形放出剤及び潤滑物質の除去を含む、請求項１乃至請求項４２のいずれか１項に記載の方法。
【請求項４４】
前記冷却段階は、前記シリコーンゴム製品内部の材料及び物質、例えば色素及び染料、並びに有機単量体及び適切な架橋剤、及びエチレン及びプロピレン及びブタジエン等のオレフィン等のラジカル開始剤、酢酸ビニル、ビニルピロリジノン、スチレン、アクリル化合物等のビニル化合物、酸化プロピレン及びジグリシジルエーテル等のエポキシド、グリコール及びジイソシアン酸エステル等のウレタン前駆物質の群より選択された材料及び物質の沈殿及び必要に応じた架橋を含む、請求項１乃至請求項４３のいずれか１項に記載の方法。
【請求項４５】
前記冷却段階は、有機過酸化物、前記有機過酸化物の分解産物、白金触媒または前記白金触媒のリガンド、無反応シラン、架橋剤、及び３０００より小さい分子量のシラノールからなる群より選択された１つまたはそれ以上の化合物の部分的除去あるいは化学誘導体化を含み、前記化学誘導体化は、化学基の付加として理解されている、請求項１乃至請求項４４のいずれか１項に記載の方法。
【請求項４６】
請求項１乃至請求項４５のいずれか１項に記載の方法によって入手可能なシリコーンゴム製品。
【請求項４７】
前記製品は、押出し製品としてのチューブ、カテーテル、ケーブル絶縁、射出成形品としてのキーパッド、ガスケット、乳児のケア及び授乳（おしゃぶり、瓶の栓）のための部品、自動車、電気通信及び医療分野において使用されるための部品、フィルム、コンタクトレンズからなる群より選択される、請求項４６に記載のシリコーンゴム製品。
【請求項４８】
前記製品は、人体または動物の体に接触するようにした少なくとも一つの非塗装表面を有し、好ましくは、前記製品は、カテーテル、乳児のケア及び授乳（おしゃぶり、瓶の栓）のための部品、及びコンタクトレンズからなる群より選択される、請求項４６及び請求項４７に記載のシリコーンゴム製品。
【発明の詳細な説明】
【技術分野】
【０００１】
本発明は、シリコーンゴム製品、例えば高品質が重要である医療製品またはその他のシリコーン製品を製造する方法に関する。
【背景技術】
【０００２】
（発明の背景）
シリコーンゴムは、生理的不活性（無毒性）や耐候性、耐久性、放出特性、及び耐熱性を含めたその優れた特性のために、医療機器や、建築材料、電気・電子部品、自動車部品、及びビジネス機器部品等の多様な分野において使用されてきた。
【０００３】
近年、シリコーンゴム製品は、多種の出発材料及び硬化システムを用いる多くの方法で製造され得る。特許文献１の明細書は、ヒドロシリル化を経て硬化するシリコーンゴム組成物を開示している。この反応型は付加的硬化型として知られている。特許文献２の明細書は、液状シリコーンゴム組成物の製品を開示している。特許文献３の明細書及び特許文献４の明細書は、熱のみによって容易に硬化し、その結果きわめて高い生成収率に繋がる単一組成のシリコーンゴム混合物（ＲＴＶ１）を開示している。また、２成分シリコーンゴムもきわめてよく知られている。
【０００４】
通常、シリコーンゴム製品を製造する方法は、熱を用いる必要があるかあるいは熱を用いて促進される最も多用される工程である組成物の硬化段階を含む。
多くの用途によって、硬化段階が終了した後、望ましくないかつしばしば悪臭を伴う残渣を除去するために、熱を用いて硬化されたシリコーンゴム製品を処理する必要があることが見出された。この熱処理工程は、数時間に至るまでかなりの時間を消費することがしばしばあり得、かつ大きな生成空間及び加熱室を必要とする。
【０００５】
特にＬＳＲシリコーンゴム製品においては、医学的用途において使用されており、シリコーンオイルの残渣量を減少させるために、その製品を後熱処理あるいは後硬化処理とも言われる後加硫処理を施すことが不可欠であることが見出された。従って、ＬＳＲ製品は、空気流または酸素流の下、例えば２００℃で２時間またはさらにそれ以上の数時間の熱処理を施されている。
（本発明の要旨）
本発明の目的は、シリコーン製品を製造する改良された方法を提供することにあり、この方法において、後熱処理が低減されるかあるいは削除され得る。
【０００６】
本発明によって提供された方法は、先行技術の方法よりはるかに早く、そしてさらにほとんどの条件下において必要とする作業空間が小さくなる。
また、先行技術の方法を用いて製造されたシリコーン製品と比べて、望ましくない残渣量がきわめて少なくなるシリコーン製品が本発明による方法によって製造される。
【０００７】
従って、本発明の発明者は、シリコーンゴム製品を冷却し、二酸化炭素含有溶媒を用いてシリコーン材料を抽出することよりも、より一層効果的かつ早いシリコーンゴム製品の製造方法が提供され得ることを見出した。
【０００８】
本発明による方法は、特許請求の範囲において定義されている。また、本発明は、その方法を用いて入手可能なシリコーンゴム製品を含む。
【特許文献１】米国特許第５５１９０８２号明細書
【特許文献２】米国特許第５９７３０３０号明細書
【特許文献３】欧州特許第３８４６０９号明細書
【特許文献４】米国特許第６０２０４４９号明細書
【発明を実施するための最良の形態】
【０００９】
（発明の詳細な説明）
用語「シリコーンゴム製品」は、少なくともあるシリコーン材料を有する全ての製品を含むことを意図されている。従ってまた、シリコーンゴム製品は、その組成物材料の一つが、シリコーンゴム材料、例えば、米国特許第６８００３７２号または米国特許第６６１３４４０号において記載されているようなシリコーンゴムに完全に結合された熱可塑性樹脂の組成物を含む。しかし、この明細書及び特許請求の範囲の記載において使用されるシリコーンゴム製品の重量は、その組成物材料のシリコーンゴム部分の重量しか含んでいない。
【００１０】
本発明によれば、シリコーンゴム製品は少なくとも一つの非塗装表面を有することが好ましい。このことは、シリコーンゴムの少なくとも一つの表面領域が、その表面に直接結合された（使用中に除去されるべき梱包材料を含まない）塗料またはその他の材料で塗装されていないことを意味している。
【００１１】
一実施形態において、シリコーンゴム製品は少なくとも冷却の間に、少なくとも一つの非塗装表面を有する。冷却後、この非塗装表面は被覆されるかまたは塗装される。一実施形態において、この非塗装表面は潜在的な梱包材料を除いて非塗装のままである。従って、本発明によって製造されたシリコーン製品の表面は極めて清潔であり、そしてシリコーン製品が体内に対して、例えば皮膚あるいは粘膜に対して使用された場合、体内に炎症を引き起こす残渣オイルを発散させないことが見出されている。
【００１２】
原則として、シリコーン製品は、任意の型の製品、例えば、チューブ、カテーテル、ケーブル絶縁、キーパッド、ガスケット、乳児のケア及び授乳（おしゃぶり、瓶の栓）のための部品、自動車、電気通信及び医療分野において使用されるための部品、フィルム、コンタクトレンズ等である。特に、本発明による方法は、高品質が要求されるシリコーンゴム製品、例えば、ＦＤＡ（米食品医薬品局）、ＵＢＡ（ドイツ連邦環境庁）、日本薬局方等の政府規制並びに医学的用途、インプラント用途、直接及び間接食品接触用途、及び使い捨て用途のために設計されたシリコーン製品のための資材要求事項に関するその他の関連規則において承認されるような製品を製造するために有用である。
【００１３】
さらに、本発明の方法は、例えば、コンタクトレンズ及び同様の製品等の薄壁の材料のような脆弱な形状のために、これまで鋳造によってのみ製造されていたシリコーン製品の製造において有用であることが見出された。冷却がそのような低温で効果的に行われるので、脆弱な形状を有する製品は、形状を変えることなく抽出処理に耐えることができる。
【００１４】
本発明による方法は、
ｉ）射出成形によるシリコーンゴム製品の成型、及び
ｉｉ）射出成形品の冷却
の段階を含み、
ここで、冷却は、射出成形品を反応装置中に送入すること、及び１０バール（１０×１０５Ｐａ）と５０バール（５０×１０５Ｐａ）との間の圧力で二酸化炭素含有溶媒を用いて、射出成形品に抽出処理を施すことを含み、ここで、その製品は抽出段階において６０℃より低い初期温度を有し、そして抽出時間の少なくとも一部分において、その製品は二酸化炭素が液状であるように２５℃より低い温度及び１０バール（１０×１０５Ｐａ）と５０バール（５０×１０５Ｐａ）との間の圧力を有する。
【００１５】
一実施形態において、初期温度は３０℃またはそれより低い温度である。
射出成形に加えて、成型の段階は、他の操作段階を含む。一実施形態において、成型の段階は、その製品に、その製品の材料から少なくとも部分的に延出するスリットまたは孔を提供することを含む。好ましくは、このスリットまたは孔は、射出成形段階において提供されるかあるいは一実施形態において、例えば切削工具等を用いて射出成形段階後に提供される。
【００１６】
その製品が例えば乳児の授乳道具におけるスリットまたは孔等のスリットまたは孔を有する製品である場合、このスリットまたは孔が壊れたり閉じたりしない低温でシリコーン製品が処理されるような条件下で冷却が行われるために、本発明の方法は、このスリットまたは孔が冷却の前に提供され得るという付加的な利点を有する。
【００１７】
温度は、６０℃より低い温度、例えば５０度より低い温度、例えば２５℃より低い温度、例えば５℃と２２℃との間の温度、例えば８℃と２０℃との間の温度に維持されることが好ましい。一実施形態において、冷却中の温度は、冷却時間の大部分の間８℃と１５℃との間である。
【００１８】
特に、温度が約２５℃より低く維持されることが望ましく、これによって最適な抽出が行われ、そしてさらに、製品が中間冷却の必要がなく抽出直後に梱包され得る。このことは、本明細書中において後述されるように、製造時間に関してのみならず製品の品質に関しても有用である。
【００１９】
一実施形態において、冷却段階は比較的高温で開始され、製品は射出成形機から冷却反応装置まで直接移される。初期温度は６０℃までである。製品が冷却反応装置に移された後、温度は２５℃より低い温度で冷却段階を終了するように、冷却段階の間降下させられる。温度降下は、能動冷却によってあるいは受動冷却によって提供される。
【００２０】
一実施形態において、冷却段階は５０℃より高い温度、例えば６０℃付近の温度で開始される。
一実施形態において、温度は冷却段階中、５０℃まで、例えば２５℃まで、例えば１℃と５０℃との間、例えば５℃と２５℃との間に降下する。
【００２１】
一実施形態において、二酸化炭素含有溶媒は、冷却中に気体から液状まで変化する。
一実施形態において、冷却は、５バール（５×１０５Ｐａ）と５０バール（５０×１０５Ｐａ）との間の圧力下、及び０℃と６０℃の間の温度下で、圧力反応装置中で二酸化炭素含有溶媒を用いた抽出処理を、シリコーンゴム製品に施すことを含む。
【００２２】
本発明の一つの好ましい形態において、抽出処理は、シリコーンゴム製品に、液状の二酸化炭素含有溶媒を用いた抽出処理を施すことを含む。このように、液状の二酸化炭素含有溶媒を用いた抽出処理を行うことは、圧力が比較的低く維持されている場合でも、極めて有効であることが見出されたことは驚くべきことである。従って、本発明によれば、抽出処理は５バール（５×１０５Ｐａ）と５０バール（５０×１０５Ｐａ）との間の圧力、例えば１０バール（１０×１０５Ｐａ）と５０バール（５０×１０５Ｐａ）との間、好ましくは２０バール（２０×１０５Ｐａ）と５０バール（５０×１０５Ｐａ）との間、例えば２５バール（２５×１０５Ｐａ）と５０バール（５０×１０５Ｐａ）との間、より好ましくは３０バール（３０×１０５Ｐａ）と５０バール（５０×１０５Ｐａ）との間の圧力で行われることが好ましい。この比較的低圧力を用いることによって、オイル残渣の抽出が、他の抽出方法、例えば超臨界溶媒を用いる方法に比べて、きわめて効果的かつきわめて早いこと、そして同時に、装置及び特に圧力反応装置に対する要求が、超臨界抽出のための圧力反応装置に関連したコストに比べて大いに低減されていることが見出されたことは驚くべきことである。
【００２３】
一実施形態において、圧力は４５バール（４５×１０５Ｐａ）付近またはそれより低い圧力に維持されており、実際に、特に温度が抽出時間のほとんどにおいて８℃〜１５℃の間に維持されている場合に、早くて効果的な抽出にとって十分な圧力であることが示された。
【００２４】
従って、一実施形態において、冷却段階の全体に渡って圧力が４５バール（４５×１０５Ｐａ）より低く維持されること、好ましくは３０バール〜３５バール（３０×１０５Ｐａ〜３５×１０５Ｐａ）付近で維持されることが好ましい。
【００２５】
一実施形態において、圧力は４５バール（４５×１０５Ｐａ）プラスマイナス５バール（５×１０５Ｐａ）付近で維持されている。
圧力は、例えば印加された圧力が１０バール（１０×１０５Ｐａ）、例えば５バール（５×１０５Ｐａ）まで、例えば２バール（２×１０５Ｐａ）までの印加の変化を有するように、抽出の間に印加される。
【００２６】
加圧は抽出を促進させる。しかし、これによってシリコーンゴム材料内部の損傷が生じるため、材料の損傷を避けるために、加圧は早すぎるべきではない。
一実施形態において、印加された圧力は、１分間当たり１０パルス、例えば１分間当たり２パルスの周波数を有することが好ましく、ここで、１パルスは一つの最大圧力（高圧力ピーク）から一つの最小圧力（低圧力ピーク）までの減少そして一つの最大圧力までの復帰を含む。
【００２７】
抽出処理は、少なくとも０．５分間、例えば少なくとも１分間、例えば少なくとも２分間、例えば少なくとも４分間、例えば少なくとも１０分間行われることが好ましい。
最適抽出処理時間は、その製造方法を含めてシリコーンゴムの型式に依存する。しかし、最適抽出処理時間は、シリコーンゴム材料の形状及び厚さにより一層依存する。
【００２８】
異なる形状のシリコーンゴム製品に関して行われた試験によって、製品の最適抽出処理時間は、ミリメータで表わした表面への最大最短距離（ＭＳＤＳ）当たり少なくとも０．１分間、二酸化炭素含有溶媒を用いた処理を、シリコーンゴム製品に施すことである。この関係において、用語「ＭＳＤＳ」は、製品の材料の任意の点に対する表面点までの最大最短距離を意味する。抽出処理は、ＭＳＤＳ当たり少なくとも０．３分間、例えば少なくとも１．０分間、例えば少なくとも１．５分間、例えば少なくとも２分間、液状の二酸化炭素含有溶媒を用いた処理を、製品に施すことを含むことが好ましい。
【００２９】
一実施形態において、本発明の方法は、冷却中に製品を移動させる段階を含む。この移動は、例えば加熱室内部で機械的攪拌システムを用いることによってあるいは加熱室自体（タンブラー）を回転させることによって行われる。
【００３０】
一実施形態において、タンブラーとして形成された反応室は、１〜５０Ｈｚ（１Ｈｚは２．４ｒｐｍ）の割合で、例えば抽出中１〜１０Ｈｚの割合で、回転させられる。
一実施形態において、タンブラー効果を改良するために、タンブラーの内側は壁に取付けられた「翼」とも言われている突出部を含む。そのような翼によって、製品にその液体を混合することに起因して抽出の効果がより一層改良される。
【００３１】
本発明の一つの好ましい形態において、製造物は梱包されている。すなわち、この方法は、
ｉ）シリコーンゴム製品の成形
ｉｉ）射出成形品の冷却、及び
ｉｉｉ）梱包材料への射出成形品の梱包
の段階を含む。
【００３２】
通常、梱包材料は、シリコーンオイル残渣に対するバリアを提供する。換言すれば、シリコーンオイルは梱包されていなければそれほど早く梱包材料の表面から遊離することができない。通常、先行技術のシリコーンゴム材料に対して、シリコーンゴム材料が梱包されていない場合、特にシリコーンゴム材料が本発明のように十分に熱処理されていないかまたは冷却されていない場合、シリコーンオイルのいくらかはシリコーンゴム材料を介して移動して、製造後数ヵ月後、例えば１２ヶ月またはそれ以上の後、環境に向けて遊離する。このシリコーンゴム材料からの緩やかな移動／蒸発は、シリコーンゴム材料に不愉快な臭いをもたらし、さらに、シリコーンゴム材料が人体と接触して使用される場合、この緩やかな移動／蒸発は、炎症、湿疹、悪臭または同様の不愉快な効果を生じる。
【００３３】
従って、本発明による方法は、梱包されているシリコーンゴム製品の製造にとって特に有用である。
一実施形態において、梱包段階において使用される梱包材料は、２４時間当たり１０ｇ／ｍ２、例えば２４時間当たり５ｇ／ｍ２、例えば２４時間当たり１ｇ／ｍ２、例えば２４時間当たり０．１ｇ／ｍ２のシリコーンオイルヘキサメチルシクロトリシロキサン（Ｄ３）の浸透性を有する。幾つかの製品については、梱包材料は、ヘキサメチルシクロトリシロキサン（Ｄ３）に対して不浸透性であることが望ましい。
【００３４】
一実施形態において、本発明の方法は、２４時間当たり１００ｇ／ｍ２、例えば２４時間当たり５０ｇ／ｍ２、例えば２４時間当たり２５ｇ／ｍ２、例えば２４時間当たり１０ｇ／ｍ２の水蒸気浸透率（ＤＩＮ５３１２２）を有する梱包材料中にシリコーンゴム製品を梱包することを含む。幾つかのシリコーンゴム製品にとっては、湿度レベルが低く維持されかつその製品が使用前に湿気に対して保護されることが望ましい。そのような状況において、梱包材料がはるかに低い水蒸気浸透率、例えば２４時間当たり１ｇ／ｍ２より低い水蒸気浸透率、例えば２４時間当たり１ｍｇ／ｍ２より低い水蒸気浸透率を有することが望ましい。
【００３５】
一実施形態において、本発明の方法は、細菌及びウイルスに対してできる限り不浸透性である梱包材料中にシリコーンゴム製品を梱包することを含む。特に、この方法は、医学的用途、例えばカテーテル、コンタクトレンズ及び育児（おしゃぶり、瓶の栓、試験、おしゃぶり）及び人体に接触させて使用する同様の製品に用いるシリコーンゴム製品にとって好ましい。
【００３６】
一実施形態において、梱包段階は、封入梱包材料中にその製品を梱包することを含み、ここで梱包材料は、空気のフリーフローに対してバリアを提供する。医学的用途で用いるシリコーンゴム製品にとって、封入梱包材料は気密性の梱包を提供することが好ましい。
【００３７】
原則として、梱包段階は、冷却段階の終了後いつ行われても良い。しかし、ほとんどの製品にとって、梱包段階は、必要以上の製造空間及び中間の貯蔵用空間に対する必要性を低下させるために、冷却後比較的すぐに行われることが望ましい。
【００３８】
従って、一実施形態において、梱包段階は、冷却段階の終了から６０分以内、好ましくは４０分以内、例えば２０分以内、例えば１０分以内、より好ましくは５分以内に行われることが望ましい。
【００３９】
冷却段階が高温、例えば４０℃より高い温度で終了された場合、シリコーンゴム製品は、梱包前に冷まされる必要がある。しかし、冷却段階が約４０℃または４０℃より低い温度で行われるかまたは終了された場合、梱包前にシリコーンゴム製品を冷ます必要がない。さらに、このことは、シリコーンゴム製品が、梱包段階まできわめて清潔に維持されるかまたはできるだけ無菌状態に維持されるという有用な効果を有し、そして梱包段階が十分に清潔な状況下で行われた場合、梱包された製品は、きわめて清潔である。医学的用途で用いられる製品にとって、このことはきわめて有用な効果である。幾つかの製品、例えば先行技術の方法を用いて製造されたカテーテル及びコンタクトレンズは、梱包後さらに滅菌されなければならない。本発明の方法を用いて製造された同様の製品にとって、特に梱包が冷却段階の終了後直ちに行われた場合、この滅菌は回避することが可能である。
【００４０】
従って、一実施形態において、シリコーンゴム製品が、さらに中間処理を伴わずに、特に追加の表面処理を伴わずに、冷却後に梱包されることが好ましい。
一実施形態において、成形されたシリコーンゴム製品は、その他の部品に取付けられ、例えば乳状突起がその他のポリマーの基盤に取付けられる。一実施形態において、この取付けは、冷却段階の前に行われるが、これは冷却された製品が冷却段階の終了後直接に梱包されることを意味する。
【００４１】
その他の実施形態において、その他の部品の取り付けは、冷却段階後に行われる。
冷却段階の間、二酸化炭素はシリコーンゴム材料中に浸透する。一実施形態において、梱包段階は、その製品が放出可能な二酸化炭素をまだ含むように、冷却段階後十分すぐに行われることが望ましい。その後、その二酸化炭素は梱包材料内部に放出される。梱包材料が封印された後初めの１時間以内のその製品の重量に対する二酸化炭素の重量の少なくとも０．０１重量％、例えば少なくとも０．１重量％、あるいは少なくとも０．５重量％を製品が放出するように、梱包段階は、例えばその製品が十分な二酸化炭素をまだ含むよう冷却段階後十分すぐに行われ得る。
【００４２】
シリコーンゴム製品が冷却段階の前に部分的にしか硬化されない状況において、冷却段階中に行われた抽出によって、除去されたシリコーンオイル残渣から生じるその材料内部の気泡が目に見えるようになる。いくつかの製品によってはこのことは望ましい。他の製品にとってはこのことは望ましくなく、従って、硬化レベルが十分に高いかどうか、例えば目に見える気泡の量及び大きさが望ましいレベルより低いかまたは全く存在しないかどうか、可視化試験によって示すことができる。
【００４３】
原則として、シリコーンゴム製品のためのシリコーンゴム材料は、任意の型のシリコーンゴム、特にケイ素原子及び酸素原子の交互配置からなる骨格を有するポリオルガノシロキサンである。
【００４４】
シリコーンゴムはシリコーン溶液から製造される。シリコーン溶液は、側鎖が２乃至１０００をはるかに上回るシリコーン原子を含む線状重合体であり、その各々は酸素原子によって順番に結合されている。鉱油と異なり、シリコーン溶液は、広い温度範囲に渡って粘性がほとんど変化しない。
【００４５】
一実施形態において、シリコーンゴムは、１つまたはそれ以上のシリコーン組成物を含む前駆体シリコーン混合物から製造される。シリコーン前駆体混合物は、ジアルキルシリコーン弾性体、ここでアルキルとは、メチル基、エチル基、ヘキシル基、及びオオクチル基等の１〜１２の炭素原子からなる炭化水素側基を意味し、ビニルシリコーン弾性体、フェニルシリコーン弾性体、ニトリルシリコーン弾性体、フルオロシリコーン弾性体、室温加硫（ＲＴＶ）シリコーン弾性体、液状シリコーン弾性体（ＬＳＲ）、ホウ化シリコーン弾性体からなる群より選択された１つまたはそれ以上のシリコーン組成物を含むことが好ましく、前駆体シリコーン混合物は、ジメチルシリコーン弾性体を含むことが好ましい。
【００４６】
一実施形態において、前駆体混合物のための構成成分は、長鎖ポリシロキサン、触媒、架橋剤、及びヒュームドシリカ（ＨＤＫ）、石英、白亜及び陶土等の各種賦形剤、並びに色素、接着促進剤等の他の添加剤を含む。
【００４７】
有用な加硫の型（架橋剤及び温度）及び基本高分子の粘性に応じて、シリコーンゴムは次のように分類される；
ＲＴＶ−１シリコーンゴムは１成分であり、そのまま使用でき、室温加硫システムである。それらは、ポリジメチルシロキサン、架橋剤、賦形剤、及び助剤を含む。成形後、大気中水分との接触によって、架橋が開始され、副生成物の除去を伴って進行する。
【００４８】
ＲＴＶ−２シリコーンゴムは２成分であり、架橋剤を添加することで高度に柔軟なシリコーン加硫物まで硬化する、注いだり、広げたりあるいは練ったりすることが可能な組成物である。
【００４９】
一実施形態において、シリコーンゴム材料は、高温加硫（ＨＴＶ）液状シリコーンゴム２成分系から製造される。名前から分かるように、ＨＴＶシリコーンゴムは、高温、例えば有機過酸化物硬化剤の存在下、射出成形によって加硫される。
【００５０】
一実施形態において、前駆体混合物は、１つまたはそれ以上の熱可塑性物質、ポリウレタン、ポリアミド及びポリオレフィンからなる群より選択された１つまたはそれ以上の熱可塑性物質を含むことが好ましい。
【００５１】
一実施形態において、前駆体混合物は１つまたはそれ以上の触媒、例えば金属触媒（白金触媒等）、及び／またはジベンゾイル、ジクミル及び２，３−過酸化ブチル過酸化物等の有機過酸化物を含む。
【００５２】
シリコーン前駆体混合物は、１つまたはそれ以上の賦形剤材料、例えば以下に示す群より選択された賦形剤材料を含み、賦形剤材料としては、アルミニウム、スズ、鉛、マグネシウム、カルシウム、ストロンチウム、バリウム、チタニウム，ジルコニウム、バナジウム、クロム、マンガン、鉄、コバルト、ニッケル、銅、及び亜鉛等の金属、アルミナ三水和物、アルミニウム酸化物、スズ、鉛、マグネシウム、カルシウム、ストロンチウム、バリウム、チタニウム、ジルコニウム、バナジウム、クロム、マンガン、鉄、コバルト、ニッケル、銅、アンチモン、及び亜鉛等の金属酸化物／水酸化物、リン酸塩、硫化物、及び硫酸等の金属塩、リシア輝石、雲母、モンモリロナイト、高陵石、ベントナイト、ヘクトライト、ベイデライト、アタパルジャイト、クリソライト、金剛石、サポナイト、及びヘルシナイト等の無機化合物、シリカ水和物または無水シリカ、シリカ、ケイ酸塩ガラス、石英、ケイ酸カルシウム、ケイ酸カルシウムマグネシウム、ケイ酸バリウム、アルミノケイ酸ナトリウム、アルミノケイ酸カルシウム、アルミノケイ酸カルシウムナトリウム等の窯業製品、ハロイサイト、ナトリウムベントナイト及びマグネシウムベントナイトを含むモンモリロナイト等の粘土（ケイ酸アルミニウム）、合成または天然ゼオライト、及び合成または天然滑石（ケイ酸マグネシウム）、及びカーボンブラック等の有機物質、黒鉛、粒状または粉末状の熱可塑性プラスチックあるいは再生または未使用のポリマー樹脂またはゴム等の熱硬化性物質、リグニン、リグノ硫酸、クラフトリグニン、セルロース、及びそれらの混合物等の木材由来の材料が挙げられる。
【００５３】
原則として、賦形剤材料は、例えば粒状または繊維状あるいはそれらの混合物の形態において任意の形状及び大きさを有する。賦形剤材料は固形、中空または多孔性であり得る。有用な賦形剤は、例えば米国特許第４，７４０，５３８号、米国特許第５，３３２，４２９号、米国特許第５，９６８，６５２号、米国特許出願公開２００１／００３６６６１７号、米国特許第５，８６１，４４５号、及び米国特許第４，７４０，５３８号において記載されている。
【００５４】
一実施形態において、その製品は射出成形を用いて成形されることが好ましい。射出成形機内の温度及び滞留時間は、射出成形品の材質及び形状に依存して変化する。通常、より厚い製品がより長い滞留時間を要する。
【００５５】
一実施形態において、射出成形は１５０℃〜２００℃で１０秒〜５０秒の射出成形機内の滞留時間とともに行われる。
一実施形態において、射出成形は８０℃と１５０℃との間の温度で３０秒〜９０秒の射出成形機内の滞留時間とともに行われる。
【００５６】
一実施形態において、射出成形は８０℃より低い温度で６０秒以上の射出成形機内の滞留時間とともに行われる。
一実施形態において、射出成形されたシリコーンゴム製品には、射出成形段階から直接冷却段階を施される。
【００５７】
冷却段階は例えば回分式で行われる。一実施形態において、冷却段階は回分式で行われ、この冷却段階は成形機から物理的に独立して行われる。本実施形態において、成形されたシリコーンゴム製品は、成形機から圧力反応装置に、例えばシリコーンゴム製品の形状に適するラック内に移されて、冷却段階において処理されることが望ましい。ラックは、そのラックによってまだ支持されている間、シリコーンゴム製品の表面の大部分、例えば、好ましくは６０％より多い、例えば７５％より多いまたは８５％よりはるかに多い部分が接触しないように、シリコーンゴム製品に適用される。
【００５８】
二酸化炭素含有溶媒は、二酸化炭素の少なくとも８０重量％、例えば少なくとも８５重量％、例えば少なくとも９０重量％、例えば少なくとも９５重量％、例えば少なくとも９９重量％含むことが好ましい。
【００５９】
一実施形態において、溶媒のほとんど全ては二酸化炭素含有溶媒によって構成されている。一実施形態において、二酸化炭素含有溶媒は、少なくとも１％、例えば少なくとも５重量％の界面活性剤等のその他の組成物を含む。
【００６０】
一実施形態において、溶媒は、過ハロゲン化された界面活性剤及び完全にまたは部分的にフッ素化された界面活性剤、例えばＣＦ３（ＣＦ２）ａＣＨ２ＣＨ２Ｃ（Ｏ）ＯＸ，ａ＝１〜３０、ポリプロピレングリコール界面活性剤、必要に応じて７５重量％のポリエチレングリコール群、例えばＨＯ（ＣＨ２ＣＨ（ＣＨ３）Ｏ）ｉ（ＣＨ２ＣＨ２Ｏ）ｉＲ，ｉ＝１〜２０、ここでＲはメチル、エチル、プロピル、ブチル等のアルキル、あるいはテトラデシルまたはヘキサデシル等の６〜２０の炭素原子を含むアルキル、ＣＦ３（ＣＦ２ＣＦ２Ｏ）ｒ（ＣＨ２ＣＨ２Ｏ）ｔＨ，ｒ＝１〜３０及びｔ＝１〜４０等のペルハロエーテル界面活性剤、ソルビタンエステル、炭酸モノエステル及び炭酸ポリエステル、並びにポリジメチルシロキサン界面活性剤からなる群より選択された少なくとも一つの界面活性剤を含む。
【００６１】
一実施形態において、溶媒は、ポリ（１，１’−ジハイドロペルフルオロオオクチル  アクリレート）−ｂ−（ポリ）スチレン、ポリ（１，１’−ジハイドロペルフルオロオクチル  アクリレート−ｂ−スチレン）、ポリ（１，１’−ジハイドロペルフルオロオクチル  アクリレート−ｂ−メチルメタクリル酸塩）、ポリ（１，１’−ジハイドロペルフルオロオクチル  アクリレート−ｂ−酢酸ビニル）、ポリ（１，１’−ジハイドロペルフルオロオクチル  アクリレート−ｂ−ビニルアルコール）、ポリ（１，１’−ジハイドロペルフルオロオクチル  メタクリル酸塩−ｂ−スチレン）、ポリ（１，１’−ジハイドロペルフルオロオクチル  アクリレート−コ−スチレン）、ポリ（１，１’−ジハイドロペルフルオロオクチル  アクリレート−コ−ビニルピロリドン）、ポリ（１，１’−ジハイドロペルフルオロオクチル  アクリレート−コ−２−エチルヘキシルアクリレート）、ポリ（１，１’−ジハイドロペルフルオロオクチル  アクリレート−コ−２−ヒドロキシエチルアクリレート）、ポリ（１，１’−ジハイドロペルフルオロオクチル  アクリレート−コ−ジメチルアミノエチルアクリレート）、ポリ（スチレン−ｇ−ジメチルシロキサン）、ポリ（メチル  アクリレート−ｇ−１，１‘−ジハイドロペルフルオロオクチル  メタクリル酸塩）、ポリ（１，１’−ジハイドロペルフルオロオクチル  アクリレート−ｇ−スチレン）、ペルフルオロオクタン酸、及びペルフルオロ（２−プロポキシプロパン）酸からなる群より選択された少なくとも一つの界面活性剤を含む。
【００６２】
二酸化炭素含有溶媒中の界面活性剤の量は、１つまたはそれ以上の界面活性剤の０．００１重量％と３０重量％との間、例えば０．０１重量％と２０重量％との間、例えば０．１重量％と５重量％との間であることが好ましい。
【００６３】
一実施形態において、二酸化炭素含有溶媒は、例えばメタン、エタン、プロパン、アンモニアブタン、ｎ−ペンタン、ヘキサン、シクロヘキサン、ｎ−ヘプタン、エチレン、プロピレン、メタノール、エタノール、イソプロパノール、キシレン、塩化フッ化メタン、トリクロロフルオロメタン、ペルフルオロプロパン、クロロジフルオロメタン、六フッ化硫黄、亜酸化窒素、Ｎ−メチルピロリドン、アセトン、炭酸エステル、有機シリコーン、テルペン、パラフィン、及びそれらの混合物からなる群より選択された共溶媒を含む。共溶媒の量は、例えば二酸化炭素含有溶媒の約２０重量％、例えば約１５重量％、例えば約１０重量％、例えば約５重量％である。
【００６４】
抽出段階において、シリコーンゴム製品内のシリコーンオイル残渣の少なくとも一部が抽出される。特に、それがこれらの低分子量シリコーンオイル残渣、例えばＤ３，Ｄ４，Ｄ５を初めとする約７０から３０００及びそれ以上の範囲の分子量を有する化合物、及び他の環状シクロキサンまたは非環状シクロキサンである場合、シリコーンゴム製品から低分子量シリコーンオイル残渣を抽出することが望ましく、これらの低分子量シリコーンオイル残渣は、使用中にシリコーンゴム材料から移動してシリコーンゴム製品に望ましくない化合物の臭いを生じさせるか及び／または発散させる。
【００６５】
一実施形態において、冷却はその製品に抽出処理を施し、それによって３０００より小さい分子量を有する抽出可能な残渣シリコーンオイルの少なくとも５０重量％、例えば少なくとも６０重量％、例えば少なくとも７０重量％、例えば少なくとも８０重量％、例えば少なくとも９０重量％、例えば少なくとも９５重量％、例えば少なくとも９９重量％を除去することを含む。
【００６６】
３０００より小さい分子量を有する抽出可能な残渣シリコーンオイルは、熱を用いて抽出可能な３０００より小さい分子量を有する残渣シリコーンオイルとして定義されている。本明細書中において使用されているように、抽出可能な残渣シリコーンオイルは、処理の前に１００ｇのシリコーンゴム製品当たり１Ｌ容積の反応装置中で２００℃、４時間にわたって残渣シリコーンオイルに熱処理を施し、１Ｌ容積の反応装置中当たり１Ｌ／ｍｉｎの空気流を反応装置中に送ることによって、シリコーンゴム製品から抽出されるオイルである。
【００６７】
本発明の一実施形態において、冷却はその製品に抽出処理を施し、それによって１０００より小さい分子量を有する抽出可能な残渣シリコーンオイルの少なくとも５０重量％、例えば少なくとも６０重量％、例えば少なくとも７０重量％、例えば少なくとも８０重量％、例えば少なくとも９０重量％、例えば少なくとも９５重量％、例えば少なくとも９９重量％を除去することを含み、ここで１０００より小さい分子量を有する抽出可能な残渣シリコーンオイルは、上述のように熱を用いて抽出可能な１０００より小さい分子量を有する残渣シリコーンオイルとして定義されている。
【００６８】
本発明の一実施形態において、冷却はその製品に抽出処理を施し、それによって５００より小さい分子量を有する抽出可能な残渣シリコーンオイルの少なくとも５０重量％、例えば少なくとも６０重量％、例えば少なくとも７０重量％、例えば少なくとも８０重量％、例えば少なくとも９０重量％、例えば少なくとも９５重量％、例えば少なくとも９９重量％を除去することを含み、ここで５００より小さい分子量を有する抽出可能な残渣シリコーンオイルは、上述のように熱を用いて抽出可能な５００より小さい分子量を有する残渣シリコーンオイルとして定義されている。
【００６９】
本発明の一実施形態において、冷却はその製品に抽出処理を施し、それによって２００より小さい分子量を有する抽出可能な残渣シリコーンオイルの少なくとも５０重量％、例えば少なくとも６０重量％、例えば少なくとも７０重量％、例えば少なくとも８０重量％、例えば少なくとも９０重量％、例えば少なくとも９５重量％、例えば少なくとも９９重量％を除去することを含み、ここで２００より小さい分子量を有する抽出可能な残渣シリコーンオイルは、上述のように熱を用いて抽出可能な２００より小さい分子量を有する残渣シリコーンオイルとして定義されている。
【００７０】
本発明の一実施形態において、冷却はその製品に抽出処理を施し、それによって分子量に関係なく、それらの残渣シリコーンオイルの重量の少なくとも１０重量％、例えば少なくとも２５重量％、例えば少なくとも４０重量％、例えば少なくとも６０重量％を除去することを含み、この残渣シリコーンオイルは、アセトンを用いて非抽出のシリコーン製品をＳｏｘｌｅｔｈ抽出を用いて抽出され得る。
【００７１】
Ｓｏｘｌｅｔｈ抽出は、１ｇシリコーンゴム当たり少なくとも１０ｍｌのアセトンを用いて行われるべきである。シリコーンゴムは、１ｃｍ３未満の小片にされるべきである。抽出時間は２時間に設定され、次に２０分の洗浄サイクル及び短時間の蒸留段階が行われる。その後、抽出物は固定重量まで５０℃で乾燥される。抽出されたシリコーンオイルはさらに分析される。
【００７２】
一実施形態において、冷却はその製品に抽出処理を施し、それによって製品全体の重量の少なくとも０．０５重量％のシリコーンオイル含有残渣、例えば０．１重量％のシリコーンオイル含有残渣、例えば少なくとも０．２重量％のシリコーンオイル含有残渣、例えば少なくとも０．５重量％のシリコーンオイル含有残渣を除去することを含む。また、シリコーンオイル含有残渣は少量の水を含む。
【００７３】
シリコーンオイルだけが抽出される場合、シリコーンゴム製品は５０℃で２時間の乾燥段階を受ける。
一実施形態において、冷却はその製品に抽出処理を施し、それによって製品全体の重量に対して３０００より小さい分子量を有するシリコーンオイルの少なくとも０．００５重量％、例えば３０００より小さい分子量を有するシリコーンオイルの０．０１重量％、例えば３０００より小さい分子量を有するシリコーンオイルの少なくとも０．０２重量％を除去することを含む。抽出されたオイルは冷却トラップを用いて集められる。
【００７４】
一実施形態において、冷却はその製品に抽出処理を施し、それによって製品全体の重量に対して１０００より小さい分子量を有するシリコーンオイルの少なくとも０．００１重量％、例えば１０００より小さい分子量を有するシリコーンオイルの０．００５重量％、例えば１０００より小さい分子量を有するシリコーンオイルの少なくとも０．０１重量％を除去することを含む。
【００７５】
一実施形態において、冷却はその製品に抽出処理を施し、それによって製品全体の重量に対して５００より小さい分子量を有するシリコーンオイルの少なくとも０．０００５重量％、例えば５００より小さい分子量を有するシリコーンオイルの０．００１重量％、例えば５００より小さい分子量を有するシリコーンオイルの少なくとも０．００２重量％を除去することを含む。
【００７６】
一実施形態において、冷却はその製品に抽出処理を施し、それによって製品全体の重量に対して２００より小さい分子量を有するシリコーンオイルの少なくとも０．０００１重量％、例えば２００より小さい分子量を有するシリコーンオイルの０．０００５重量％、例えば２００より小さい分子量を有するシリコーンオイルの少なくとも０．００１重量％を除去することを含む。
【００７７】
カテーテル、コンタクトレンズ及び育児（おしゃぶり、瓶の栓、試験、おしゃぶり（ｄｕｍｍｉｅｓ））及び人体に接触させて使用する同様の製品を含む医学的用途のためのシリコーンゴム製品にとって、冷却はその製品に抽出処理を施し、それによってＦＤＡ、ＵＢＡ、日本薬局方の政府規制並びに医学的用途、インプラント用途、直接及び間接食品接触用途、及び使い捨て用途用に設計されたシリコーン製品のための資材要求事項に関するその他の関連規則等を満たすように、十分な量の低分子量残渣を除去することを含むことが望ましい。特に、冷却はその製品に抽出処理を施し、それによって２００４年４月１日現在ＦＤＡ規制２１  ＣＦＲ  １７７．２６００を満たすように、十分な量の低分子量残渣を除去することを含むことが望ましい。
【００７８】
一実施形態において、冷却の間に、例えば不活性のあるいは活性のある予備気体を導入することによって、抽出時間が減少されることが見出された。従って、一実施形態において、冷却は、気体が抽出処理の間に反応装置中に導入される抽出処理をその製品に施すことを含み、そこでは気体が製品のバルクから周りの溶媒に圧力勾配を産出し、それによって製品から溶媒への溶質の流れを産出するために放出されることが望ましい。気体は、例えば窒素、酸素またはヘリウムであり得る。気体の量は、１Ｌの反応装置容積当たり少なくとも０．１モル、例えば少なくとも０．５モル、例えば１モルの気体であることが好ましい。
【００７９】
さらに、抽出処理中の抽出効果は、例えば攪拌することによって、またはより好ましくは圧力反応装置を回転及び／または振とうさせることによって、反応装置内部に乱流を提供することで増加する。
【００８０】
また、冷却を行う場合、冷却が粉塵及び二酸化シリコーン等の粒子の除去、及び冷却の工程と相まって押出しまたは成形または整形の間に使用される任意の成形放出剤及び潤滑物質の除去を含むように、冷却中の圧力及び温度が制御されていることが観察されてきた。
【００８１】
一実施形態において、冷却は、シリコーンゴム製品内部の沈殿及び必要に応じた架橋材料及び架橋物質、例えば色素及び染料、並びに有機単量体及び適切な架橋剤並びにエチレン及びプロピレン及びブタジエン等のオレフィン等のラジカル開始剤、酢酸ビニル、ビニルピロリジノン、スチレン、アクリル化合物等のビニル化合物、酸化プロピレン及びジグリシジルエーテル等のエポキシド、グリコール及びジイソシアン酸エステル等のウレタン前駆物質の群より選択された材料及び物質を含む。
【００８２】
シリコーンゴム製品のシリコーン材料内部の沈殿及び必要に応じた架橋剤に関する詳しい情報は、国際公開  ０３０６８８４６号パンフレット及び国際特許出願第ＰＣＴ／ＤＫ０４／０００４７６号において見出され得る。
【００８３】
一実施形態において、冷却段階は、有機過酸化物、有機過酸化物の分解産物、白金触媒または白金触媒のリガンド、無反応シラン、架橋剤及び３０００より小さい分子量のシラノールからなる群より選択された１つまたはそれ以上の化合物の部分的除去あるいは化学誘導体化を含む。化学誘導体化は、化学基の付加として理解されており、換言すれば、１つまたはそれ以上の化学基が、有機過酸化物、有機過酸化物の分解産物、白金触媒または白金触媒のリガンド、無反応シラン、架橋剤及び３０００より小さい分子量のシラノールからなる群より選択された１つまたはそれ以上の化合物と結合される。一般的に、１つまたはそれ以上の化学基は、シリコーンゴム材料内部の１つまたはそれ以上の化合物からの分解産物である。
【００８４】
また、本発明は、本発明の方法によって入手可能なシリコーンゴム製品に関する。特に、本発明は押出し製品としてのチューブ、カテーテル、ケーブル絶縁、射出成形品としてのキーパッド、ガスケット、乳児のケア及び授乳（おしゃぶり、瓶の栓）のための部品、自動車、電気通信及び医療分野において使用されるための部品、フィルム並びにコンタクトレンズからなる群より選択されたシリコーンゴム製品に関する。
（実施例）
実施例１
厚さ１，２及び３ｍｍの射出成形されたシリコーンゴムプレート（他の寸法では１５ｃｍ×４ｃｍ）が、冷却段階実験における基準として使用された。原料は、例えば商標名Ｅｌａｓｔｏｓｉｌの下、Ｗａｃｋｅｒから入手可能な２成分（Ａ及びＢ）ＬＳＲ（液状シリコーンゴム）であり、さらに過酸化加硫シリコーンゴムが解析された。
【００８５】
全てのゴムの硬度は、ショアA９０、ショアA７０、ショアA５０、ショアA２０及びショアA１０の範囲で解析された。
抽出パラメータは以下の通りである。製品が１０リットル反応装置中に置かれ、液体二酸化炭素が添加され、二酸化炭素を攪拌するか、ゴム製品が置かれた保持装置を回転させるか、あるいは反応装置全体を回転させて、８〜１５℃及び３０〜４５バール（３０〜４５×１０５Ｐａ）の圧力で５，１０，１５または４０分間、抽出が行われた。圧力は、窒素、酸素またヘリウム等の他の気体の添加によって抽出の間、変化させられた。抽出は、その液体を反応装置から蒸留タンクまたは大気中に移すことによって終了させられた。残圧は、例えば１分当たり４０バール（４０×１０５Ｐａ）または１分当たり２バール（２×１０５Ｐａ）までの変動率で減少させられた。
【００８６】
観察結果：
減圧率は、ショアＡ４０Ａより低い硬度を有するゴムの機械的完全性にとって、かつ、特にショアＡ１０〜２０より低い硬度を有するゴムにとって重要であることが見出された。おそらく二酸化炭素がバルクポリマー内部の間隙容量を膨張させるために、全てのゴム製品（一般的に不透明または透明である）は、少なくとも部分的に白色である。一般的に数分の減退時間を伴って、製品が元の色を取り戻し、重量減少（ポリマーの重量の１〜３％程度の）、例えばポリマーからの大気中への気体移動との明らかな相関が見出される。ほとんどのポリマー製品は、より硬いゴムから完全に消失するがショアＡ２０より柔軟なゴムの場合にとどまる白色の「泡」（約１ｍｍの大きさ）に加えて現れる。さらに、柔軟なゴムにおいて、特により厚い部品において、そして特に減圧率が１分当たり１０バール（１０×１０５Ｐａ）より早い場合に、機械的剥離が生じる。
【００８７】
平衡下（例えば気体蒸発後の重量一定）において、ゴム製品は０．２〜１．８％の重量を失い、その重量損失は抽出時間及びポリマーの厚さに明らかに相関する。重量損失は、溶媒としてのアセトンまたはメチルエチルケトン（ＭＥＫ）を用いるゴムのＳｏｘｌｅｔｈ抽出による対照実験において測定され得るシリコーンオイルの絶対量に相関する。一般的に、Ｓｏｘｌｅｔｈ抽出によって測定されるオイルの絶対量の７５％が、液体二酸化炭素を用いた抽出の２０分以内に抽出される。さらに、回転速度、圧力印加、界面活性剤の添加、二酸化炭素サイクル（除去、蒸留、置換）等が、抽出率に影響する。
【００８８】
一般的に、機械的特性は、抽出によってほんのわずかに影響される。破断点伸び、抗張力，弾性率、圧縮永久ひずみ、伸張中の永久ひずみ等は、実験誤差内で変化しなかった。酸素透過性における３〜１０％の増加が、非抽出のシリコーンに対する抽出されたシリコーンで見出された。
【００８９】
実施例２
実施例１において使用され過酸化加硫シリコーンから作製されたプレートが、上述の手順に従って抽出され、そして同時にビクトリアＢまたはフタロシアニン系色素等の青色素を用いて浸透させられた。本実施例の目的は、黄色を直接生じさせかつ時間経過に伴って黄色の割合を増加させる化合物を部分的に抽出することであった。結果として黄色の強度が直接抽出によって減少され、時間経過による黄色化が減速され、そして青色素の浸透が黄色を補うために有用であることが見出される。色素添加による重量増加は低すぎて測定不可能である。
【００９０】
実施例３
アセトン抽出（ｓｏｘｌｅｔｈ）による二酸化炭素抽出後のシリコーンゴムサンプルの解析
二酸化炭素抽出において、抽出された低分子シリコーンオイルを集めることは容易ではないが、サンプルの重量を測定することによって除去された残渣量を算出することはより容易である。より特異的な値を得るために、我々は、ビュッチ汎用抽出ユニットＢ８１１（Ｂｕｅｃｈｉ  Ｕｎｉｖｅｒｓａｌ  Ｅｘｔｒａｃｔｉｏｎ  Ｕｎｉｔ  Ｂ８１１）におけるアセトン中の二酸化炭素硬化サンプルを抽出し、抽出物の重量から抽出可能なシリコーンオイルの量を算出した。
【００９１】
一つのサンプル当たり１５０ｍｌのアセトン（Ｆｉｓｃｈｅｒ  Ｃｈｅｍｉｃａｌｓ社製、０．０４２％の水含有）が使用された。サンプルは小片にされ、解析のために１．５〜６ｇのサンプルが使用された。反復実験が行われた。抽出時間は約２時間であり、次に２０分の洗浄サイクル及び短期の蒸留段階が行われた。その後、抽出物は５０℃で２時間乾燥されて重量を測定された。二酸化炭素抽出されたシリコーンオイルの量は、未処理サンプルから抽出されたシリコーンオイルの量と、処理されたサンプルから抽出されたシリコーンオイルの量との差から算出される。
【００９２】
解析されたのは以下のサンプルであった：
【００９３】
【表１】
2008517796.tif 000002
液体二酸化炭素抽出において低分子残渣の絶対量の８０％が除去される。
【００９４】
実施例４
大型のおしゃぶり及び小型のおしゃぶりが、冷却工程において以下の条件下で抽出された：
全てのおしゃぶりが、冷却前に開口部を有することを確認された。
【００９５】
２０〜２５ｋｇのおしゃぶりがバッグ中に満たされ（ナイロン製、各バッグに５ｋｇ）、バッグが抽出室／タンブラー中に満たされた。抽出室が閉じられて４２〜５０バール（４２〜５０×１０５Ｐａ）に加圧され、温度は８〜１５℃まで下げられた。タンブラーは３Ｈｚ（７．２ｒ．ｐ．ｍ）で回転された。１５〜２５分後、液体二酸化炭素は抽出室から送り出され、蒸留及び減圧され抽出室に戻され、４２〜５０バール（４２〜５０×１０５Ｐａ）まで再び加圧された。さらに２５分回転させた後、液体二酸化炭素が抽出室から再び除去され減圧された後、抽出室が開けられてサンプルが取り出された。
【００９６】
結果：
液体二酸化炭素中における処理工程の後、開口部の１００％がまだ開いていた。
大きなおしゃぶり及び小さなおしゃぶりが規格ＥＮ  １４３５０／２に準じて調べられた。
【００９７】
この基準によって、大きなおしゃぶり及び小さなおしゃぶり中の揮発物が、０．５％の量の下でなければならないことが理解できる。
【００９８】
【表２】
2008517796.tif 000003
また、バッチ時間を短くするために、１サイクル後に抽出室を減圧しないで液体二酸化炭素を除去することも可能である。サイクル時間の変更は、例えば１サイクル１０分、２サイクル２０分及びその逆であることが望ましい。
【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
シリコーンゴム製品を製造する方法であって、前記方法は、
ｉ）押出しまたは成形を用いたシリコーンゴム製品の成形、及び
ｉｉ）成形品の冷却
の段階を含み、
前記冷却は、前記成形品を反応装置内へ挿入すること、及び１０バール（１０×１０５Ｐａ）と５０バール（５０×１０５Ｐａ）との間の圧力下で二酸化炭素含有溶媒を用いた抽出処理を前記成形品に施すことを含み、前記製品は、抽出段階において６０℃より低い初期温度を有し、抽出時間の少なくとも一部分において、二酸化炭素が液状であるように前記製品が２５℃より低い温度及び圧力を有する方法。
【請求項２】
前記方法は、
ｉ）射出成形を用いた前記シリコーンゴム製品の成形、及び
ｉｉ）射出成形品の冷却
の段階を含む、請求項１に記載の方法。
【請求項３】
前記シリコーンゴム製品は、押出し製品及び射出成形製品の群から選択される、請求項１及び請求項２のいずれか１項に記載の方法。
【請求項４】
前記シリコーンゴム製品は、少なくとも前記冷却の間少なくとも一つの非塗装表面を有する、請求項１乃至請求項３のいずれか１項に記載の方法。
【請求項５】
前記成形段階は、前記冷却の前に、前記製品に前記製品の材料を少なくとも部分的に貫通して延出するスリットまたは孔を提供することを含み、前記冷却は、前記スリットまたは孔が壊れたり閉じたりすることを避けるために十分に低い温度で行われる、請求項１乃至請求項４のいずれか１項に記載の方法。
【請求項６】
前記抽出処理は、少なくとも０．５分間、例えば少なくとも２分間、例えば少なくとも４分間、例えば少なくとも１０分間、前記製品に液状の二酸化炭素含有溶媒を用いた処理を施すことを含む、請求項１乃至請求項５のいずれか１項に記載の方法。
【請求項７】
前記抽出処理は、ミリメータで表した表面への最大最短距離（ＭＳＤＳ）当たり少なくとも０．１分間にわたって前記液状の二酸化炭素含有溶媒を用いた処理を前記製品に施すことを含み、前記ＭＳＤＳは、前記製品の前記材料の任意の点についての表面点までの前記最大最短距離であり、好ましくは、前記抽出処理は、前記ＭＳＤＳ当たり少なくとも０．３分間、例えば少なくとも１．０分間、例えば少なくとも１．５分間、例えば少なくとも２分間にわたって前記液状の二酸化炭素含有溶媒を用いた処理を、前記製品に施すことを含む、請求項１乃至請求項６のいずれか１項に記載の方法。
【請求項８】
前記方法は、
ｉ）前記シリコーンゴム製品の成形
ｉｉ）前記成形品の冷却、及び
ｉｉｉ）シリコーンオイル残渣に対するバリアを提供する梱包材料中への前記製品の梱包
の段階を含む、請求項１乃至請求項７のいずれか１項に記載の方法。
【請求項９】
前記梱包材料は、２４時間当たり１００ｇ／ｍ２、例えば２４時間当たり５０ｇ／ｍ２、例えば２４時間当たり２５ｇ／ｍ２、例えば２４時間当たり１０ｇ／ｍ２の水蒸気浸透率（ＤＩＮ５３１２２）を有する、請求項８に記載の方法。
【請求項１０】
前記梱包材料は、２４時間当たり１０ｇ／ｍ２、例えば２４時間当たり５ｇ／ｍ２、例えば２４時間当たり１ｇ／ｍ２、例えば２４時間当たり０．１ｇ／ｍ２のシリコーンオイルヘキサメチルシクロトリシロキサン（Ｄ３）の浸透性を有する、請求項８又は請求項９に記載の方法。
【請求項１１】
前記梱包材料は、細菌及びウイルスに対して実質的に不浸透性である、請求項８乃至請求項１０のいずれか１項に記載の方法。
【請求項１２】
前記梱包段階は、封印梱包材料中への前記製品の梱包を含み、それにより前記梱包材料は、空気のフリーフローに対してバリアを提供し、好ましくは、前記封印梱包材料は、気密性の梱包を提供する、請求項８乃至請求項１１のいずれか１項に記載の方法。
【請求項１３】
前記梱包段階は、前記冷却段階の終了から６０分以内、好ましくは４０分以内、例えば２０分以内、例えば１０分以内、より好ましくは５分以内に行われ、最も好ましくは、前記梱包段階は、前記冷却段階の終了後直ちに行われる、請求項８乃至請求項１２のいずれか１項に記載の方法。
【請求項１４】
前記梱包段階は、前記製品が前記梱包材料内部に放出される放出可能な二酸化炭素をまだ含むように、前記冷却段階の直後に十分に行われる、請求項８乃至請求項１３のいずれか１項に記載の方法。
【請求項１５】
前記製品は、前記梱包材料が封印された後初めの１時間以内の前記製品の重量に対する前記二酸化炭素の重量の少なくとも０．０１重量％、例えば少なくとも０．１重量％、あるいは少なくとも０．５重量％を放出する、請求項１４に記載の方法。
【請求項１６】
前記梱包段階は、追加の表面処理を伴わずに、前記冷却後に行われる、請求項８乃至請求項１５のいずれか１項に記載の方法。
【請求項１７】
前記シリコーンゴム製品は、１つまたはそれ以上のシリコーン組成物を含む前駆体シリコーン混合物から製造されており、好ましくは、前記前駆体シリコーン混合物は、ジアルキルシリコーン弾性体、ここでアルキルとは、メチル基、エチル基、ヘキシル基、及びオクチル基を含む１〜１２の炭素原子からなる炭化水素側基を意味し、ビニルシリコーン弾性体、フェニルシリコーン弾性体、ニトリルシリコーン弾性体、フルオロシリコーン弾性体、室温加硫（ＲＴＶ）シリコーン弾性体、液状シリコーン弾性体（ＬＳＲ）、ホウ化シリコーン弾性体からなる群より選択された１つまたはそれ以上のシリコーン組成物を含み、好ましくは、前記前駆体シリコーン混合物は、ジメチルシリコーン弾性体を含む、請求項１乃至請求項１６のいずれか１項に記載の方法。
【請求項１８】
前記前駆体シリコーン混合物は、１つまたはそれ以上の熱可塑性物質を含み、好ましくは、ポリウレタン、ポリアミド及びポリオレフィンからなる群より選択された前記１つまたはそれ以上の熱可塑性物質を含む、請求項１７に記載の方法。
【請求項１９】
前記前駆体シリコーン混合物は、１つまたはそれ以上の触媒、例えば金属触媒（白金触媒等）、及び／またはジベンゾイル、ジクミル及びジ−ターシャリーブチル過酸化物等の有機過酸化物を含む、請求項１７又は請求項１８に記載の方法。
【請求項２０】
射出成形される前記製品、即ち前記射出成形は、１５０℃〜２００℃で１０秒〜５０秒、あるいは８０℃と１５０℃との間の温度で３０秒〜９０秒、あるいは８０℃より低い温度で６０秒以上の射出成形機内の滞留時間とともに行われる、請求項１乃至請求項１９のいずれか１項に記載の方法。
【請求項２１】
前記冷却段階は回分式で行われる、請求項１乃至請求項２０のいずれか１項に記載の方法。
【請求項２２】
前記二酸化炭素含有溶媒は、少なくとも８０重量％、例えば少なくとも８５重量％、例えば少なくとも９０重量％、例えば少なくとも９５重量％、例えば少なくとも９９重量％の二酸化炭素を含む、請求項１乃至請求項２１のいずれか１項に記載の方法。
【請求項２３】
前記二酸化炭素含有溶媒は、好ましくは、過ハロゲン化された界面活性剤及び完全にまたは部分的にフッ素化された界面活性剤、例えばＣＦ３（ＣＦ２）ａＣＨ２ＣＨ２Ｃ（Ｏ）ＯＸ，ａ＝１〜３０、ポリプロピレングリコール界面活性剤、必要に応じて７５重量％のポリエチレングリコール群、例えばＨＯ（ＣＨ２ＣＨ（ＣＨ３）Ｏ）ｉ（ＣＨ２ＣＨ２Ｏ）ｉＲ，ｉ＝１〜２０、ここでＲはメチル基、エチル基、プロピル基、ブチル基等のアルキル、あるいはテトラデシルまたはヘキサデシル等の６〜２０の炭素原子を含むアルキル、ＣＦ３（ＣＦ２ＣＦ２Ｏ）ｒ（ＣＨ２ＣＨ２Ｏ）ｔＨ，ｒ＝１〜３０及びｔ＝１〜４０等のペルハロエーテル界面活性剤、ソルビタンエステル、炭酸モノエステル及び炭酸ポリエステル、並びにポリジメチルシロキサン界面活性剤からなる群より選択された少なくとも１つの界面活性剤を含む、請求項１乃至請求項２２のいずれか１項に記載の方法。
【請求項２４】
前記二酸化炭素含有溶媒は、好ましくは、ポリ（１，１’−ジハイドロペルフルオロオクチル  アクリレート）−ｂ−（ポリ）スチレン、ポリ（１，１’−ジハイドロペルフルオロオクチル  アクリレート−ｂ−スチレン）、ポリ（１，１’−ジハイドロペルフルオロオクチル  アクリレート−ｂ−メチルメタクリル酸塩）、ポリ（１，１’−ジハイドロペルフルオロオクチル  アクリレート−ｂ−酢酸ビニル）、ポリ（１，１’−ジハイドロペルフルオロオクチル  アクリレート−ｂ−ビニルアルコール）、ポリ（１，１’−ジハイドロペルフルオロオクチル  メタクリル酸塩−ｂ−スチレン）、ポリ（１，１’−ジハイドロペルフルオロオクチル  アクリレート−コ−スチレン）、ポリ（１，１’−ジハイドロペルフルオロオクチル  アクリレート−コ−ビニルピロリドン）、ポリ（１，１’−ジハイドロペルフルオロオクチル  アクリレート−コ−２−エチルヘキシルアクリレート）、ポリ（１，１’−ジハイドロペルフルオロオクチル  アクリレート−コ−２−ヒドロキシエチルアクリレート）、ポリ（１，１’−ジハイドロペルフルオロオクチル  アクリレート−コ−ジメチルアミノエチルアクリレート）、ポリ（スチレン−ｇ−ジメチルシロキサン）、ポリ（メチル  アクリレート−ｇ−１，１‘−ジハイドロペルフルオロオクチル  メタクリル酸塩）、ポリ（１，１’−ジハイドロペルフルオロオクチル  アクリレート−ｇ−スチレン）、ペルフルオロオクタン酸、及びペルフルオロ（２−プロポキシプロパン）酸からなる群より選択された界面活性剤を含む、請求項１乃至請求項２３のいずれか１項に記載の方法。
【請求項２５】
前記二酸化炭素含有溶媒は、０．００１重量％から３０重量％まで、例えば０．０１重量％と２０重量％との間、例えば０．１重量％と５重量％との間の１つまたはそれ以上の界面活性剤を含む、請求項１乃至請求項２４のいずれか１項に記載の方法。
【請求項２６】
前記二酸化炭素含有溶媒は、好ましくは、メタン、エタン、プロパン、アンモニアブタン、ｎ−ペンタン、ヘキサン、シクロヘキサン、ｎ−ヘプタン、エチレン、プロピレン、メタノール、エタノール、イソプロパノール、キシレン、塩化フッ化メタン、トリクロロフルオロメタン、ペルフルオロプロパン、クロロジフルオロメタン、六フッ化硫黄、亜酸化窒素、Ｎ−メチルピロリドン、アセトン、炭酸エステル、有機シリコーン、テルペン、パラフィン、及びそれらの混合物からなる群より選択された共溶媒を含む、請求項１乃至請求項２５のいずれか１項に記載の方法。
【請求項２７】
前記冷却段階は、１０バール（１０×１０５Ｐａ）と５０バール（５０×１０５Ｐａ）との間の圧力下、及び０℃と６０℃との間の温度下で、圧力反応装置内の前記二酸化炭素含有溶媒を用いて、前記製品に前記抽出処理を施すことを含む、請求項１乃至請求項２６のいずれか１項に記載の方法。
【請求項２８】
前記冷却段階は、前記圧力反応装置内の前記二酸化炭素含有溶媒を用いて、前記製品に前記抽出処理を施すことを含み、前記冷却段階は、前記抽出時間の大部分の間、８℃〜１５℃及び４２バール（４２×１０５Ｐａ）〜５０バール（５０×１０５Ｐａ）で、前記二酸化炭素含有溶媒を用いた抽出を含む、請求項１乃至請求項２７のいずれか１項に記載の方法。
【請求項２９】
前記冷却段階は、１０バール（１０×１０５Ｐａ）と５０バール（５０×１０５Ｐａ）との間の圧力下、及び０℃と１５℃との間の温度下で、前記圧力反応装置内の前記二酸化炭素含有溶媒を用いて、前記製品に前記抽出処理を施すことを含む、請求項１乃至請求項２８のいずれか１項に記載の方法。
【請求項３０】
前記冷却段階は、前記抽出時間のほとんどにおいて、１０バール（１０×１０５Ｐａ）と４５バール（４５×１０５Ｐａ）との間の圧力下、及び８℃と１５℃との間の温度下で、前記圧力反応装置内の前記二酸化炭素含有溶媒を用いて、前記製品に前記抽出処理を施すことを含む、請求項１乃至請求項２９のいずれか１項に記載の方法。
【請求項３１】
前記冷却段階は、圧力が印加される前記圧力反応装置内の前記二酸化炭素含有溶媒を用いて、前記製品に前記抽出処理を施すことを含み、好ましくは、印加された前記圧力が、１０バール（１０×１０５Ｐａ）、例えば５バール（５×１０５Ｐａ）、例えば２バール（２×１０５Ｐａ）の印加の変化を有することを含む、請求項１乃至請求項３０のいずれか１項に記載の方法。
【請求項３２】
前記冷却段階は、前記圧力が変化させられるかまたは印加される前記圧力反応装置内の前記二酸化炭素含有溶媒を用いて、前記製品に前記抽出処理を施すことを含み、好ましくは、前記印加された圧力が、１分当たり１０パルス、例えば１分当たり２パルスの周波数を有することを含む、請求項１乃至請求項３１のいずれか１項に記載の方法。
【請求項３３】
前記冷却段階は、２５℃より低い温度、好ましくは２２℃より低い温度、より好ましくは５℃と２０℃との間の温度、好ましくは８℃と１５℃との間の温度で、前記圧力反応装置内の前記二酸化炭素含有溶媒を用いて、前記製品に前記抽出処理を施すことを含む、請求項１乃至請求項３２のいずれか１項に記載の方法。
【請求項３４】
前記冷却段階は、前記製品に前記抽出処理を施し、それによって分子量に関係なく、それらの前記残渣シリコーンオイルの重量の少なくとも１０重量％、例えば少なくとも２５重量％、例えば少なくとも４０重量％、例えば少なくとも６０重量％を除去することを含み、前記残渣シリコーンオイルは、アセトンを用いた非抽出のシリコーン製品のＳｏｘｌｅｔｈ抽出を用いて抽出され得る、請求項１乃至請求項３３のいずれか１項に記載の方法。
【請求項３５】
前記冷却段階は、前記製品に前記抽出処理を施し、それによって製品全体の重量の少なくとも０．０５重量％の前記残渣シリコーンオイル、例えば０．１重量％の残渣シリコーンオイル、例えば少なくとも０．２重量％の残渣シリコーンオイル、例えば少なくとも０．５重量％の前記残渣シリコーンオイルを除去することを含む、請求項１乃至請求項３４のいずれか１項に記載の方法。
【請求項３６】
前記冷却段階は、前記製品に前記抽出処理を施し、それによって製品全体の重量に対して３０００より小さい分子量を有する前記残渣シリコーンオイルの少なくとも０．００５重量％、例えば０．０１重量％の前記残渣シリコーンオイル、例えば３０００より小さい分子量を有する前記残渣シリコーンオイルの少なくとも０．０２重量％を除去することを含む、請求項１乃至請求項３５のいずれか１項に記載の方法。
【請求項３７】
前記冷却段階は、前記製品に前記抽出処理を施し、それによって製品全体の重量に対して１０００より小さい分子量を有する前記残渣シリコーンオイルの少なくとも０．００１重量％、例えば０．００５重量％の前記残渣シリコーンオイル、例えば１０００より小さい分子量を有する前記残渣シリコーンオイルの少なくとも０．０１重量％を除去することを含む、請求項１乃至請求項３６のいずれか１項に記載の方法。
【請求項３８】
前記冷却段階は、前記製品に前記抽出処理を施し、それによって製品全体の重量に対して５００より小さい分子量を有する前記残渣シリコーンオイルの少なくとも０．０００５重量％、例えば０．００１重量％の前記残渣シリコーンオイル、例えば５００より小さい分子量を有する前記残渣シリコーンオイルの少なくとも０．００２重量％を除去することを含む、請求項１乃至請求項３７のいずれか１項に記載の方法。
【請求項３９】
前記冷却段階は、前記製品に前記抽出処理を施し、それによって製品全体の重量に対して２００より小さい分子量を有する前記残渣シリコーンオイルの少なくとも０．０００１重量％、例えば０．０００５重量％の前記残渣シリコーンオイル、例えば２００より小さい分子量を有する前記残渣シリコーンオイルの少なくとも０．００１重量％を除去することを含む、請求項１乃至請求項３８のいずれか１項に記載の方法。
【請求項４０】
前記冷却段階は、前記製品に前記抽出処理を施し、それによって２００４年４月１日付けのＦＤＡ規制２１  ＣＦＲ  １７７．２６００、２００４年８月現在欧州規格ＥＮ１４３５０／２、及び２００２年９月１日付けの欧州規格ＥＮ１４００を満たすように、十分な量の低分子量残渣を除去することを含む、請求項１乃至請求項３９のいずれか１項に記載の方法。
【請求項４１】
前記冷却段階は、前記製品に前記抽出処理を施すことを含み、前記抽出処理は、少なくとも１０分間行われる、請求項１乃至請求項４０のいずれか１項に記載の方法。
【請求項４２】
前記冷却段階は、気体が前記抽出処理の間、前記反応装置中に導入される前記抽出処理を前記製品に施すことを含み、前記気体が前記製品のバルクから周りの溶媒への圧力勾配を生成し、それによって前記製品から前記溶媒への溶質の流れを生成するために放出され、好ましくは、前記気体は、窒素、酸素またはヘリウムである、請求項１乃至請求項４１のいずれか１項に記載の方法。
【請求項４３】
前記冷却段階は、粉塵及び二酸化シリコーン等の粒子の除去、及び押出しまたは成形または整形の間に使用される少なくとも幾つかの成形放出剤及び潤滑物質の除去を含む、請求項１乃至請求項４２のいずれか１項に記載の方法。
【請求項４４】
前記冷却段階は、前記シリコーンゴム製品内部の材料及び物質、例えば色素及び染料、並びに有機単量体及び適切な架橋剤並びにエチレン及びプロピレン及びブタジエン等のオレフィン等のラジカル開始剤、酢酸ビニル、ビニルピロリジノン、スチレン、アクリル化合物等のビニル化合物、酸化プロピレン及びジグリシジルエーテル等のエポキシド、グリコール及びジイソシアン酸エステル等のウレタン前駆物質の群より選択された材料及び物質の沈殿及び必要に応じた架橋を含む、請求項１乃至請求項４３のいずれか１項に記載の方法。
【請求項４５】
前記冷却段階は、有機過酸化物、前記有機過酸化物の分解産物、白金触媒または前記白金触媒のリガンド、無反応シラン、架橋剤、及び３０００より小さい分子量のシラノールからなる群より選択された１つまたはそれ以上の化合物の部分的除去あるいは化学誘導体化を含み、前記化学誘導体化は、化学基の付加として理解されている、請求項１乃至請求項４４のいずれか１項に記載の方法。
【請求項４６】
前記冷却段階は、抽出の間、１〜５０Ｈｚの速度で前記反応装置を回転させることを含む、請求項１乃至請求項４５のいずれか１項に記載の方法。
【請求項４７】
請求項１乃至請求項４６のいずれか１項に記載の方法によって入手可能なシリコーンゴム製品。
【請求項４８】
前記製品は、押出し製品としてのチューブ、カテーテル、ケーブル絶縁、射出成形品としてのキーパッド、ガスケット、乳児のケア及び授乳（おしゃぶり、瓶の栓）のための部品、自動車、電気通信及び医療分野において使用されるための部品、フィルム及びコンタクトレンズからなる群より選択される、請求項４７に記載のシリコーンゴム製品。
【請求項４９】
前記製品は、人体または動物の体に接触するようにした少なくとも１つの非塗装表面を有し、好ましくは、前記製品は、カテーテル、乳児のケア及び授乳（おしゃぶり、瓶の栓）のための部品、及びコンタクトレンズからなる群より選択される、請求項４７又は請求項４８に記載のシリコーンゴム製品。
【手続補正２】
【補正対象書類名】明細書
【補正対象項目名】００５１
【補正方法】変更
【補正の内容】
【００５１】
一実施形態において、前駆体混合物は１つまたはそれ以上の触媒、例えば金属触媒（白金触媒等）、及び／またはジベンゾイル、ジクミル及びジ−ターシャリーブチル過酸化物等の有機過酸化物を含む。
【国際調査報告】
2008517796.tif 000004
2008517796.tif 000005
2008517796.tif 000006